(57)【特許請求の範囲】
【請求項１】
紫外光を吸収して可視域の蛍光を発する蛍光増白剤を含む測定対象物の観察光源下での測色値を測定する方法であって、
前記蛍光増白剤の励起帯の波長λf以下の紫外光を除去した測定光源下での前記測定対象物による放射光を測定し、前記測定対象物の測色値Ｘ０’、Ｙ０’、Ｚ０’を算出する第１ステップと、
前記波長λf以下の紫外光を含む前記測定光源下での前記測定対象物による放射光を測定し、前記測定対象物の測色値Ｘ’、Ｙ’、Ｚ’を算出する第２ステップと、
前記測色値Ｘ’、Ｙ’、Ｚ’と前記測色値Ｘ０’、Ｙ０’、Ｚ０’との差ΔＸｆ、ΔＹｆ、ΔＺｆを算出する第３ステップと、
前記波長λf以下の紫外光を除去した前記測定光源下での前記測定対象物の分光放射輝度率と、前記観察光源の発光スペクトルとを用いて、前記測定対象物の測色値Ｘ”、Ｙ”、Ｚ”を算出する第４ステップと、
前記波長λf以下の紫外光を含む前記測定光源での蛍光励起強度ＥLと、前記波長λｆ以下の紫外光を含む前記観察光源での蛍光励起強度ＥSとを用いて、前記観察光源下での前記測定対象物の測色値Ｘ、Ｙ、Ｚを、
Ｘ＝Ｘ”＋ΔＸｆ・（ＥS／ＥL）
Ｙ＝Ｙ”＋ΔＹｆ・（ＥS／ＥL）
Ｚ＝Ｚ”＋ΔＺｆ・（ＥS／ＥL）
として算出する第５ステップと、
からなることを特徴とする測色値の測定方法。
【請求項２】
請求項１記載の方法において、
前記測色値Ｘ０’、Ｙ０’、Ｚ０’は、前記波長λf以下の紫外光を除去した前記測定光源下での前記測定対象物による前記放射光を測定して得られる波長λの分光放射輝度率β0L（λ）、前記測定光源の発光スペクトルＬ（λ）、等色関数ｘ（λ）、ｙ（λ）、ｚ（λ）を用いて、
Ｘ０’＝１／ｋ・∫Ｌ（λ）・β0L（λ）・ｘ（λ）・ｄλ
Ｙ０’＝１／ｋ・∫Ｌ（λ）・β0L（λ）・ｙ（λ）・ｄλ
Ｚ０’＝１／ｋ・∫Ｌ（λ）・β0L（λ）・ｚ（λ）・ｄλ
ｋ＝∫Ｌ（λ）・ｙ（λ）・ｄλ／１００
（但し、積分範囲は、可視光の範囲とする。）
として算出することを特徴とする測色値の測定方法。
【請求項３】
請求項１記載の方法において、
前記測色値Ｘ’、Ｙ’、Ｚ’は、前記波長λf以下の紫外光を含む前記測定光源下での前記測定対象物による放射光を測定して得られる波長λの分光放射輝度率βL（λ）、前記測定光源の発光スペクトルＬ（λ）、等色関数ｘ（λ）、ｙ（λ）、ｚ（λ）を用いて、
Ｘ’＝１／ｋ・∫Ｌ（λ）・βL（λ）・ｘ（λ）・ｄλ
Ｙ’＝１／ｋ・∫Ｌ（λ）・βL（λ）・ｙ（λ）・ｄλ
Ｚ’＝１／ｋ・∫Ｌ（λ）・βL（λ）・ｚ（λ）・ｄλ
ｋ＝∫Ｌ（λ）・ｙ（λ）・ｄλ／１００
（但し、積分範囲は、可視光の範囲とする。）
として算出することを特徴とする測色値の測定方法。
【請求項４】
請求項１記載の方法において、
前記測色値Ｘ”、Ｙ”、Ｚ”は、前記波長λf以下の紫外光を除去した前記測定光源下での前記測定対象物による放射光を測定して得られる波長λの分光放射輝度率β0L（λ）、前記観察光源の発光スペクトルＳ（λ）、等色関数ｘ（λ）、ｙ（λ）、ｚ（λ）を用いて、
Ｘ”＝１／ｋ”・∫Ｓ（λ）・β0L（λ）・ｘ（λ）・ｄλ
Ｙ”＝１／ｋ”・∫Ｓ（λ）・β0L（λ）・ｙ（λ）・ｄλ
Ｚ”＝１／ｋ”・∫Ｓ（λ）・β0L（λ）・ｚ（λ）・ｄλ
ｋ”＝∫Ｓ（λ）・ｙ（λ）・ｄλ／１００
（但し、積分範囲は、可視光の範囲とする。）
として算出することを特徴とする測色値の測定方法。
【請求項５】
請求項１記載の方法において、
前記蛍光励起強度ＥLは、前記蛍光増白剤の蛍光励起スペクトルＥ（λ）、前記測定光源の発光スペクトルＬ（λ）を用いて、
ＥL＝∫Ｅ（λ）・Ｌ（λ）・ｄλ
（但し、積分範囲は、前記波長λf以下の紫外光の範囲を含む。）
として算出することを特徴とする測色値の測定方法。
【請求項６】
請求項１記載の方法において、
前記蛍光励起強度ＥSは、前記蛍光増白剤の蛍光励起スペクトルＥ（λ）、前記観察光源の発光スペクトルＳ（λ）を用いて、
ＥS＝∫Ｅ（λ）・Ｓ（λ）・ｄλ
（但し、積分範囲は、前記波長λf以下の紫外光の範囲を含む。）
として算出することを特徴とする測色値の測定方法。
【請求項７】
請求項１記載の方法において、
前記波長λfは、４００ｎｍ〜４４０ｎｍの範囲内にあることを特徴とする測色値の測定方法。
【請求項８】
請求項１記載の方法において、
複数の前記測定対象物の測色値Ｘ、Ｙ、Ｚを求める際、前記波長λf以下の紫外光を除去した前記測定光源及び前記波長λf以下の紫外光を含む前記測定光源での第１の測定対象物の測色値の差ΔＸａｆ、ΔＹａｆ、ΔＺａｆと、前記波長λf以下の紫外光を除去した前記観察光源での前記第１の測定対象物の測色値Ｘａ”、Ｙａ”、Ｚａ”と、前記波長λf以下の紫外光を除去した前記観察光源での第２の測定対象物の測色値Ｘｂ”、Ｙｂ”、Ｚｂ”とを用いて、前記第２の測定対象物の測色値の差ΔＸｂｆ、ΔＹｂｆ、ΔＺｂｆを、
ΔＸｂｆ＝ΔＸａｆ・（Ｘｂ”／Ｘａ”）
ΔＹｂｆ＝ΔＹａｆ・（Ｙｂ”／Ｙａ”）
ΔＺｂｆ＝ΔＺａｆ・（Ｚｂ”／Ｚａ”）
として算出することを特徴とする測色値の測定方法。
【請求項９】
請求項１記載の方法において、
前記蛍光励起強度ＥSは、前記蛍光増白剤を含むサンプルＣと、前記蛍光増白剤を含まないサンプルＤとを用い、前記蛍光励起強度ＥSが不明である測色値測定装置による前記サンプルＣ、Ｄの測色値Ｘｘｃ、Ｘｘｄと、前記蛍光励起強度ＥSが既知の測色値測定装置による前記サンプルＣ、Ｄの測色値Ｘｃ、Ｘｄと、前記サンプルＣの蛍光による測色値の増分ΔＸｃｆと、前記蛍光励起強度ＥLとを用いて、
ＥS＝ＥL・（（Ｘｘｃ−Ｘｃ）−（Ｘｘｄ−Ｘｄ））／ΔＸｃｆ
として算出することを特徴とする測色値の測定方法。
【発明の詳細な説明】
【０００１】
【発明の属する技術分野】
本発明は、プリント用紙、印刷用紙等の測定対象物の観察光源下での測色値を求めることのできる測色値の測定方法に関する。
【０００２】
【従来の技術】
例えば、印刷機によって作成された印刷画像の色とカラープリンタによって作成されたハードコピーの色とをマッチングさせ、あるいは、モニタに表示されたソフトコピーの色と印刷画像やハードコピーの色とをマッチングさせるため、夫々の出力装置での網点面積率、露光強度、ＣＲＴ制御信号等の制御値と、作成された画像の測色値との対応関係を求めておき、この対応関係を用いて、異なる出力装置により作成された画像の色が等色するように前記制御値を調整することが行われている。
【０００３】
以下に、前記の対応関係を求める一般的な手順を説明する。
【０００４】
先ず、測定光源からの測定光を基準白板に照射し、その放射光を波長λ毎に分光して測定することにより、分光放射輝度Ｉ0 （λ）を求める。同様に、同じ測定光源からの測定光を所望の用紙上に形成した複数のカラーパッチからなるカラーチャートに照射し、その放射光を波長λ毎に分光して測定することにより、分光放射輝度ＩS （λ）を求める。
【０００５】
次に、前記分光放射輝度Ｉ0 （λ）およびＩS （λ）の比、すなわち、分光放射輝度率β（λ）を、各カラーパッチ毎に、
β（λ）＝ＩS （λ）／Ｉ0 （λ）                …（１）
として求めた後、前記分光放射輝度率β（λ）から、発光スペクトルＳ（λ）を有する所望の観察光源下での測色値Ｘ、Ｙ、Ｚを、
Ｘ＝１／Ｋ・∫Ｓ（λ）・β（λ）・ｘ（λ）・ｄλ  …（２）
Ｙ＝１／Ｋ・∫Ｓ（λ）・β（λ）・ｙ（λ）・ｄλ  …（３）
Ｚ＝１／Ｋ・∫Ｓ（λ）・β（λ）・ｚ（λ）・ｄλ  …（４）
Ｋ＝∫Ｓ（λ）・ｙ（λ）・ｄλ／１００            …（５）
（但し、積分範囲は、可視光の範囲とする。）
として求める。なお、ｘ（λ）、ｙ（λ）、ｚ（λ）は、等色関数である。この結果、前記観察光源下における各カラーパッチを生成する制御値と測色値Ｘ、Ｙ、Ｚとの対応関係が得られる。
【０００６】
ところで、分光放射輝度率β（λ）を求めるために用いた測定光源の発光スペクトルＬ（λ）と、等色させるときの観察光源の発光スペクトルＳ（λ）とは、一般に異なっているため、以下のような問題が生じる。
【０００７】
すなわち、印刷用紙、プリント用紙、印画紙等の多くには、白味を増すことを目的とし、紫外光を吸収して可視域の蛍光を発する蛍光増白剤が含まれている。この場合、分光放射輝度率β（λ）は、測定光源の発光スペクトルＬ（λ）に依存するため、観察光源からの光を照射したときの分光放射輝度率β（λ）と異なっている。従って、（２）式〜（４）式から得た制御値と測色値Ｘ、Ｙ、Ｚとの対応関係を用いて等色を行おうとしても、正確なカラーマッチングを行うことができない場合がある。
【０００８】
なお、このような蛍光増白剤を含む印刷用紙等の色の測定方法として、紫外光を含む光源側と受光側との双方に分光機構を設け、分光された光源からの光によって得られた分光放射輝度率（見かけの分光放射輝度率）と、分光しない光源からの光による放射光を分光することで得られた分光放射輝度率（全分光放射輝度率）とを求め、蛍光増白剤によらない反射成分と蛍光増白剤のみによる蛍光成分とを分離・評価することで、紫外光を含んだ分光放射輝度率を求めるようにしたものがある（ＪＩＳＺ８７１７「測色値の測定方法」参照）。
【０００９】
しかしながら、この方法は、測定方法が煩雑であり、特に、多数の測定点を必要とするカラーマッチングに対して適用することは、測定時間の点からも実際上不可能である。
【００１０】
【発明が解決しようとする課題】
本発明の目的は、プリント用紙、印刷用紙等の測定対象物の観察光源下での測色値を容易且つ高精度に測定することのできる測色値の測定方法を提供することにある。
【００１１】
【課題を解決するための手段】
本発明は、紫外光を吸収して可視域の蛍光を発する蛍光増白剤を含む測定対象物の観察光源下での測色値を測定する方法であって、
前記蛍光増白剤の励起帯の波長λf以下の紫外光を除去した測定光源下での前記測定対象物による放射光を測定し、前記測定対象物の測色値Ｘ０’、Ｙ０’、Ｚ０’を算出する第１ステップと、
前記波長λf以下の紫外光を含む前記測定光源下での前記測定対象物による放射光を測定し、前記測定対象物の測色値Ｘ’、Ｙ’、Ｚ’を算出する第２ステップと、
前記測色値Ｘ’、Ｙ’、Ｚ’と前記測色値Ｘ０’、Ｙ０’、Ｚ０’との差ΔＸｆ、ΔＹｆ、ΔＺｆを算出する第３ステップと、
前記波長λf以下の紫外光を除去した前記測定光源下での前記測定対象物の分光放射輝度率と、前記観察光源の発光スペクトルとを用いて、前記測定対象物の測色値Ｘ”、Ｙ”、Ｚ”を算出する第４ステップと、
前記波長λf以下の紫外光を含む前記測定光源での蛍光励起強度ＥLと、前記波長λｆ以下の紫外光を含む前記観察光源での蛍光励起強度ＥSとを用いて、前記観察光源下での前記測定対象物の測色値Ｘ、Ｙ、Ｚを、
Ｘ＝Ｘ”＋ΔＸｆ・（ＥS／ＥL）
Ｙ＝Ｙ”＋ΔＹｆ・（ＥS／ＥL）
Ｚ＝Ｚ”＋ΔＺｆ・（ＥS／ＥL）
として算出する第５ステップと、
からなることを特徴とする。
【００１２】
【発明の実施の形態】
蛍光増白剤は可視光の放射を増し白味を増加させる。特に、青味光の放射を増し白色感を強めることを目的として、この目的に合った蛍光物質が添加される。また、観察光として通常の室内灯で効果を発揮することが要求されるが、室内光では３５０ｎｍ以下を含むものは少ない。このことから、蛍光増白剤の励起特性は、４００ｎｍ以上の光を選択しないように設計し、且つ、３５０ｎｍ以上の光により効率良く励起されなければならない。従来から知られている測定方法においても、蛍光成分と反射成分を切り分けることがポイントであるが、蛍光増白剤は励起帯が限られ、また基本的な励起帯は可視光を含まない領域であることに着目すれば、ある特定の波長λf 以下の光を除去することで分離可能となる。
【００１３】
すなわち、画像を観察する観察光源下において、蛍光増白剤を含む蛍光紙を観察したときの波長λにおける反射光成分および蛍光成分による分光放射輝度率β（λ）は、励起スペクトルおよび発光スペクトルが蛍光増白剤によって限定されるため、励起波長帯の異なる２つの測定光源による分光放射輝度率βL （λ）およびβ0L（λ）を測定することにより、
0004105251.tif 000002
と表すことができる。この場合、ＥL 、Ｅ0Lは、夫々２つの測定光源での蛍光励起強度、ＥS は、観察光源での蛍光励起強度であり、蛍光増白剤の蛍光励起スペクトルＥ（λ）と２つの測定光源の発光スペクトルＬ（λ）、Ｌ0L（λ）または観察光源の発光スペクトルＳ（λ）との分光積として、
ＥL ＝∫Ｅ（λ）・Ｌ（λ）・ｄλ        …（７）
Ｅ0L＝∫Ｅ（λ）・Ｌ0L（λ）・ｄλ      …（８）
ＥS ＝∫Ｅ（λ）・Ｓ（λ）・ｄλ        …（９）
（但し、積分範囲は、波長λf 以下の光の範囲を含む。）
として表すことができる。（６）式により求めた分光放射輝度率β（λ）を（２）式〜（４）式に代入することにより、蛍光紙の観察光源下での測色値Ｘ、Ｙ、Ｚを求めることができる。しかしながら、（６）式から観察光源下での分光放射輝度率β（λ）を求めるためには、多数のデータが必要である。
【００１４】
ところで、蛍光増白剤の前述した特性を利用し、測定光源の１つをある特定の波長λf 以下の光を除去したものとし、他の測定光源を前記波長λf 以下の光を含むものとすることにより、（６）式を簡略化することができる。
【００１５】
すなわち、（６）式の添字において、Ｌを蛍光励起光である特定の波長λf 以下の光（例えば、紫外光）を含む測定光源に係るデータとし、０Ｌをある特定の波長λf 以下の光を除去した測定光源に係るデータとすると、蛍光励起強度Ｅ0Lを０とすることができるから、（６）式は、
β（λ）＝β0L（λ）＋（βL （λ）−β0L（λ））
・（ＥS ／ＥL ）・（Ｌ（λ）／Ｓ（λ）） …（１０）
となる。そこで、この（１０）式を（２）式〜（４）式に代入することにより、
Ｘ＝１／Ｋ・∫Ｓ（λ）・β（λ）・ｘ（λ）・ｄλ
＝１／Ｋ・∫Ｓ（λ）・β0L（λ）・ｘ（λ）・ｄλ
＋（ＥS ／ＥL ）・（１／Ｋ・∫Ｌ（λ）・βL （λ）・ｘ（λ）・ｄλ
−１／Ｋ・∫Ｌ（λ）・β0L（λ）・ｘ（λ）・ｄλ）
＝Ｘ"＋ΔＸｆ・（ＥS ／ＥL ） …（１１）
Ｙ＝Ｙ"＋ΔＹｆ・（ＥS ／ＥL ） …（１２）
Ｚ＝Ｚ"＋ΔＺｆ・（ＥS ／ＥL ） …（１３）
（但し、積分範囲は、可視光の範囲とする。）
の関係が得られる。なお、測色値Ｘ"、Ｙ"、Ｚ"は、波長λf 以下の光を除去した観察光源により得られる測色値であり、ΔＸｆ、ΔＹｆ、ΔＺｆは、波長λf 以下の光を含む測定光源から得られる測色値Ｘ'、Ｙ'、Ｚ'と、波長λf 以下の光を含まない測定光源から得られる測色値Ｘ０'、Ｙ０'、Ｚ０'との差を表す。
【００１６】
（１１）式〜（１３）式において、各第１項は、蛍光紙の反射成分のみについての測色値Ｘ”、Ｙ”、Ｚ”を表す。また、各第２項は、蛍光成分による測色値Ｘ、Ｙ、Ｚの変化量を表し、ΔＸｆ／ＥL 、ΔＹｆ／ＥL 、ΔＺｆ／ＥL は、単位励起量当たりの測色値Ｘ、Ｙ、Ｚの変化量であり、観察光源に依存しない量である。従って、所望の観察光源に対する蛍光紙の測色値Ｘ、Ｙ、Ｚは、蛍光励起強度ＥS およびＥL と、観察光源の発光スペクトルＳ（λ）とが与えられれば、（１１）式〜（１３）式の関係から簡易に求めることができる。
【００１７】
なお、波長λf としては、前述した蛍光増白剤の性質から、４００ｎｍ〜４４０ｎｍの間にある波長を設定すると効果があり、望ましくは、４２０ｎｍ〜４３０ｎｍの範囲が特に効果的である。
【００１８】
次に、蛍光紙の測色値Ｘ、Ｙ、Ｚを求める具体的な実施形態について説明する。
【００１９】
図１は、本実施形態の測色値の測定方法が適用される測色値測定装置１０の概略構成を示す。この測色値測定装置１０は、蛍光増白剤を含まない基準白板１２、および、蛍光増白剤を含む用紙からなるカラーチャート１４の分光反射率を測定する測定部１６と、前記測定部１６によって得られた分光反射率より、前記カラーチャート１４を構成する各カラーパッチの測色値を算出する計算処理部１８とから基本的に構成される。
【００２０】
測定部１６は、基準白板１２またはカラーチャート１４が載置される載置台２０と、基準白板１２またはカラーチャート１４を略４５゜の異なる２方向から照明する測定光源２２ａ、２２ｂと、測定光源２２ａ、２２ｂの前面に配設され、測定光源２２ａ、２２ｂからの測定光に含まれる紫外光（ＵＶ）を除去する紫外光除去フィルタ２４ａ、２４ｂと、基準白板１２またはカラーチャート１４からの光を受光し、電気信号に変換するＣＣＤカメラ２６と、基準白板１２またはカラーチャート１４とＣＣＤカメラ２６との間に配設され、所定の波長の光のみを抽出してＣＣＤカメラ２６に導く干渉フィルタ２８とを備える。
【００２１】
なお、紫外光除去フィルタ２４ａ、２４ｂは、図１の点線で示すように、測定光源２２ａ、２２ｂに対して進退自在に構成される。また、干渉フィルタ２８は、透過波長の異なる複数の多層膜干渉フィルタを円盤上に配設し、ステッピングモータ３０により回動されることで、各多層膜干渉フィルタがＣＣＤカメラ２６に対して切り替えられるように構成される。
【００２２】
本実施形態の測色値測定装置１０は、基本的には以上のように構成されるものであり、次に、この測色値測定装置１０を用いた測色値の測定方法を、図２に示す処理手順（Ａ）〜（Ｇ）に従って説明する。
【００２３】
（Ａ）測定光源２２ａ、２２ｂの紫外光（ＵＶ）を除去し、カラーチャート１４の分光放射輝度率β0L（λ）を求める。
【００２４】
先ず、測定光源２２ａ、２２ｂの前面に配設された波長４２０ｎｍ以下の紫外光除去フィルタ２４ａ、２４ｂを点線の位置に移動させ、紫外光を含まない測定光により基準白板１２を照明し、それによる放射光を干渉フィルタ２８を介してＣＣＤカメラ２６により測定することで、基準白板１２による測定光の分光放射輝度Ｉ0L（λ）を求める。
【００２５】
次に、蛍光紙に複数のカラーパッチを形成したカラーチャート１４を載置台上に置き、同様にして、紫外光を含まない測定光によりカラーチャート１４を照明し、それによる放射光を干渉フィルタ２８を介してＣＣＤカメラ２６により測定することで、カラーチャート１４による測定光の分光放射輝度Ｉ0Lf （λ）を各カラーパッチ毎に求める。
【００２６】
計算処理部１８において、前記の分光放射輝度Ｉ0L（λ）およびＩ0Lf （λ）を用いて、紫外光を含まない測定光によるカラーチャート１４の分光放射輝度率β0L（λ）を、
β0L（λ）＝Ｉ0Lf （λ）／Ｉ0L（λ）              …（１４）
として求める。
【００２７】
（Ｂ）紫外光除去の測定光によるカラーチャート１４の測色値Ｘ０’、Ｙ０’、Ｚ０’を求める。
【００２８】
測色値Ｘ０’、Ｙ０’、Ｚ０’は、測定光源２２ａ、２２ｂの発光スペクトルＬ（λ）、等色関数ｘ（λ）、ｙ（λ）、ｚ（λ）を用いて、
Ｘ０’＝１／ｋ・∫Ｌ（λ）・β0L（λ）・ｘ（λ）・ｄλ  …（１５）
Ｙ０’＝１／ｋ・∫Ｌ（λ）・β0L（λ）・ｙ（λ）・ｄλ  …（１６）
Ｚ０’＝１／ｋ・∫Ｌ（λ）・β0L（λ）・ｚ（λ）・ｄλ  …（１７）
ｋ    ＝∫Ｌ（λ）・ｙ（λ）・ｄλ／１００              …（１８）
（但し、積分範囲は、可視光の範囲とする。）
として求められる。
【００２９】
（Ｃ）紫外光を含む測定光源２２ａ、２２ｂからの測定光によるカラーチャート１４の分光放射輝度率βL （λ）を（Ａ）の場合と同様にして求める。
【００３０】
（Ｄ）紫外光を含む測定光源２２ａ、２２ｂからの測定光によるカラーチャート１４の測色値Ｘ’、Ｙ’、Ｚ’を、（Ｂ）の場合と同様にして、
Ｘ’＝１／ｋ・∫Ｌ（λ）・βL （λ）・ｘ（λ）・ｄλ    …（１９）
Ｙ’＝１／ｋ・∫Ｌ（λ）・βL （λ）・ｙ（λ）・ｄλ    …（２０）
Ｚ’＝１／ｋ・∫Ｌ（λ）・βL （λ）・ｚ（λ）・ｄλ    …（２１）
（但し、積分範囲は、可視光の範囲とする。）
として求める。
【００３１】
（Ｅ）紫外光を含む測定光による測色値Ｘ’、Ｙ’、Ｚ’と、紫外光を含まない測定光による測色値Ｘ０’、Ｙ０’、Ｚ０’との差ΔＸｆ、ΔＹｆ、ΔＺｆを、
ΔＸｆ＝Ｘ’−Ｘ０’      …（２２）
ΔＹｆ＝Ｙ’−Ｙ０’      …（２３）
ΔＺｆ＝Ｚ’−Ｚ０’      …（２４）
として求める。
【００３２】
（Ｆ）任意の観察光源から紫外光を除去した場合におけるカラーチャート１４の測色値Ｘ”、Ｙ”、Ｚ”を、（Ａ）で求めた分光放射輝度率β0L（λ）と、観察光源の発光スペクトルＳ（λ）とを用いて、
Ｘ”＝１／ｋ”・∫Ｓ（λ）・β0L（λ）・ｘ（λ）・ｄλ  …（２５）
Ｙ”＝１／ｋ”・∫Ｓ（λ）・β0L（λ）・ｙ（λ）・ｄλ  …（２６）
Ｚ”＝１／ｋ”・∫Ｓ（λ）・β0L（λ）・ｚ（λ）・ｄλ  …（２７）
ｋ”＝∫Ｓ（λ）・ｙ（λ）・ｄλ／１００                …（２８）
（但し、積分範囲は、可視光の範囲とする。）
として求める。
【００３３】
（Ｇ）測定光による蛍光励起強度ＥL と、観察光による蛍光励起強度ＥS との比を用いて、（１１）式〜（１３）式から、紫外光を含む観察光源下におけるカラーチャート１４の測色値Ｘ、Ｙ、Ｚを求める。
【００３４】
以上のようにして求められた測色値Ｘ、Ｙ、Ｚから、カラーチャート１４の各カラーパッチを作成する際に使用したデバイスデータと、所望の蛍光紙上に形成された前記カラーパッチの各測色値Ｘ、Ｙ、Ｚとの関係を得ることができ、この関係を用いて、蛍光紙を含む媒体間でのカラーマッチングを容易且つ高精度に行うことができる。
【００３５】
なお、多数の色があるカラーチャート等の場合や、同一支持体、同一色材からなる複数の色を計測する場合の簡易な方法として、以下のようにすることもできる。
【００３６】
例えば、同一支持体、同一色材からなる２つの色Ａ、Ｂについて説明する。第１の色Ａについて、前述した（Ｅ）および（Ｆ）に記載した方法により、反射成分のみについての測色値Ｘａ”、Ｙａ”、Ｚａ”および蛍光成分による測色値の増分ΔＸａｆ、ΔＹａｆ、ΔＺａｆを求める。一方、第２の色Ｂについて、波長λf よりも短波長の光を除去した測定光による分光放射輝度率の測定データから、観察光の下での反射成分のみについての測色値Ｘｂ”、Ｙｂ”、Ｚｂ”を求める。支持体および色材が同じであれば、蛍光励起による第２の色Ｂの測色値の増分ΔＸｂｆ、ΔＹｂｆ、ΔＺｂｆと測色値Ｘｂ”、Ｙｂ”、Ｚｂ”とは、ほぼ比例関係となる性質があることから、次の式により第２の色Ｂに対する測色値の増分ΔＸｂｆ、ΔＹｂｆ、ΔＺｂｆを求めることができる。
【００３７】
ΔＸｂｆ＝ΔＸａｆ・（Ｘｂ”／Ｘａ”）        …（２９）
ΔＹｂｆ＝ΔＹａｆ・（Ｙｂ”／Ｙａ”）        …（３０）
ΔＺｂｆ＝ΔＺａｆ・（Ｚｂ”／Ｚａ”）        …（３１）
この方法によれば、ある一つの色の蛍光励起による測色値の増分を、波長λf 以下の光を除去したものと除去しないものとの２種の測定光による測定値から求めておくことにより、他の色についての蛍光励起による測色値の増分が（２９）式〜（３１）式から計算で求められる。従って、前記他の色については、波長λf 以下の光を除去した観察光での測定のみを行うことにより、前記観察光下での所望の測色値を求めることができる。
【００３８】
また、蛍光励起強度ＥS が不明な場合、以下のような方法で簡単に推定することが可能である。すなわち、蛍光による測色値の増分が既知であり、且つ、一方は蛍光増白剤の量が多く、もう一方は蛍光増白剤を殆ど含まず、また、波長λf 以下の光を含まない観察光の下での測色値が比較的近い値にある２種のサンプルＣ、Ｄを用意する。これらのサンプルＣ、Ｄの蛍光による測色値の増分をΔＸｃｆ、ΔＹｃｆ、ΔＺｃｆおよびΔＸｄｆ、ΔＹｄｆ、ΔＺｄｆとし、波長λf 以下の光を含まない観察光の下での測色値をＸｃ”、Ｙｃ”、Ｚｃ”およびＸｄ”、Ｙｄ”、Ｚｄ”とする。この場合、蛍光励起強度ＥS が不明である測色値測定装置によるサンプルＣの測色値Ｘｘｃは、波長λf 以下の光を含まない観察光の下での測色値Ｘｘｃ”と、基準とする測定光源の発光スペクトルＬ（λ）を用いて求められた既知の蛍光励起強度ＥL とを用いて、次のように表すことができる。
【００３９】
Ｘｘｃ＝Ｘｘｃ”＋ΔＸｃｆ・（ＥS ／ＥL ）      …（３２）
一方、サンプルＤについては、蛍光増白剤が殆ど含まれていないので、ΔＸｄｆ＝０とすると、測色値Ｘｘｄは、波長λf 以下の光を含まない観察光の下での測色値Ｘｘｄ”を用いて次のように表される。
【００４０】
Ｘｘｄ＝Ｘｘｄ”                                …（３３）
蛍光励起強度ＥS が不明の測色値測定装置と既知の測色値測定装置との反射成分における測色値ＸｘｄおよびＸｄの差は、（Ｘｘｄ−Ｘｄ）で表すことができるから、（３２）式の関係より、蛍光成分を考慮した測色値の装置間の差と、反射成分のみによる測色値の装置間の差との差として、
0004105251.tif 000003
とすることができる。この結果、（３４）式から、
ＥS ＝ＥL ・（（Ｘｘｃ−Ｘｃ）−（Ｘｘｄ−Ｘｄ））／ΔＸｃｆ…（３５）
として、当該測色値測定装置の蛍光励起強度ＥS が求められる。
【００４１】
なお、上述した実施形態では、測色値Ｘ、Ｙ、Ｚとして刺激値を求める場合について説明したが、他の測色空間の測色値である測色値Ｌ* 、ａ* 、ｂ* 、あるいは、Ｌ* 、ｕ* 、ｖ* 等を求める場合にも同様に適用することができる。
【００４２】
【発明の効果】
以上のように、本発明によれば、観察光源の発光スペクトルと、測定光源および観察光源に対する蛍光励起強度とを与えるだけで、前記蛍光増白剤を含む蛍光紙の測色値を簡易に求めることができる。この結果、蛍光紙を含む媒体間でのカラーマッチングを高精度に行うことができる。
【００４３】
また、複数のカラーパッチの測色を行う場合において、各カラーパッチの反射成分のみによる測色値と、１つのカラーパッチの蛍光による測色値の変動分とを求めておき、前記反射成分のみによる測色値および前記変動分から、他のカラーパッチの蛍光による測色値の変動分を求めることにより、前記他のカラーパッチに対しては、蛍光による測色値の変動分を測定することなく、簡易に蛍光増白剤を含む蛍光紙の測色値を求めることができる。従って、多数のカラーパッチの測色値を高速に求めることができる。
【図面の簡単な説明】
【図１】測色値測定装置の概略構成図である。
【図２】測色値の測定方法の処理手順を示すブロック図である。
【符号の説明】
１０…測色値測定装置                １２…基準白板
１４…カラーチャート                １６…測定部
１８…計算処理部                    ２２ａ、２２ｂ…測定光源
２４ａ、２４ｂ…紫外光除去フィルタ  ２６…ＣＣＤカメラ
２８…干渉フィルタ                  ３０…ステッピングモータ
【図１】
0004105251.tif 000004
【図２】
0004105251.tif 000005